(57)【要約】【課題】  利き手判定の専用構成を設けずに、ユーザの利き手に応じた状態にし得る携帯機器を提供する。【解決手段】  本発明の携帯機器に適用されている指紋認証装置は、指の移動方向を横切る方向に伸びていて、各時刻におけるラインデータを逐次得る２つのラインセンサを備えた指紋センサと、指紋センサの出力に基づいて、指紋データを作成する指紋データ作成部と、登録用の指紋データと、認証用の指紋データとが合致するか否かを判別する指紋認証部と、２つのラインセンサにおけるラインデータを比較し、指の相対的な移動方向を決定する指移動方向決定部とを備える。本発明の携帯機器は、上述の指移動方向決定部が決定した指の相対的な移動方向に基づき、当該携帯機器のユーザから見た場合の天地方向を決定する天地方向決定部を有する。【選択図】      図１
2010020716.tif 000002
【特許請求の範囲】
【請求項１】
指紋データ若しくは指静脈パターンデータが該当する指データを得て認証する指データ認証装置であって、
指の相対的な移動方向を横切る方向に伸びていて、各時刻におけるラインデータを逐次得る少なくとも２つのラインセンサを備えた指データセンサと、
上記指データセンサの出力に基づいて、認証用又は登録用の上記指データを作成する指データ作成部と、
予め登録されている登録用の指データと、上記指データ作成部が作成した認証用の指データとが合致するか否かを判別する指データ認証部と、
少なくとも２つの上記ラインセンサにおけるラインデータを比較し、指の相対的な移動方向を決定する指移動方向決定部と
を備えることを特徴とする指データ認証装置。
【請求項２】
請求項１に記載の指データ認証装置を備え、上記指データ認証装置における上記指データセンサが天地方向と直交する方向の中央部以外に配置されている携帯機器であって、
上記指データ認証装置の指移動方向決定部が決定した指の相対的な移動方向に基づき、当該携帯機器のユーザから見た場合の天地方向を決定する天地方向決定部を有することを特徴とする携帯機器。
【請求項３】
かざされた指の指紋データ若しくは指静脈パターンデータを得る、天地方向と直交する方向の中央部以外に配置されている指データセンサと、
上記指データセンサの出力に基づいて、認証用又は登録用の上記指データを作成する指データ作成部と、
予め登録されている登録用の指データと、上記指データ作成部が作成した認証用の指データとが合致するか否かを判別する指データ認証部と、
上記指データセンサが得た指データに基づいて、指元から指先への方向を決定する指先方向決定部と、
上記指先方向決定部が決定した指先方向に基づき、当該携帯機器のユーザから見た場合の天地方向を決定する天地方向決定部と
を有することを特徴とする携帯機器。
【請求項４】
請求項２又は３に記載の携帯機器において、
表示画像を表示する表示部と、
上記天地方向決定部が決定した天地方向に基づき、上記表示部に表示する表示画像の向きを制御する表示方向制御部と
を備えることを特徴とする携帯機器。
【請求項５】
請求項２又は３に記載の携帯機器において、
ユーザが入力操作する入力キーを有する操作部と、
上記天地方向決定部が決定した天地方向に基づき、上記操作部における入力キーの機能割り当てを制御するキー割当制御部と
を備えることを特徴とする携帯機器。
【請求項６】
請求項２〜５のいずれかに記載の携帯機器において、
通常動作時において、上記指データセンサの出力を、操作入力信号として利用することを特徴とする携帯機器。
【請求項７】
複数のユーザが使用する携帯機器であって、
上記各ユーザの指紋データ若しくは指静脈パターンデータが該当する指データを登録している指データ記憶部と、
上記各ユーザが当該携帯機器を使用する際の天地方向を記憶している天地方向記憶部と、
認証のために使用ユーザの指データを得る指データ読取部と、
上記指データ記憶部に記憶されている登録用の指データと、上記指データ読取部が得た指データとを照合し、合致するユーザを特定し、上記天地方向記憶部から、合致ユーザの天地方向を取り出して、現在の使用ユーザから見た当該携帯機器の天地方向を決定する現天地方向決定部と
を備えることを特徴とする携帯機器。
【請求項８】
請求項２に記載の指データ認証装置において、
当該指データ認証装置は、登録用の指データを作成する際、上記指データ作成部に上記指データセンサを用いて指データを作成させ、かつ、上記指移動方向決定部に指の相対的な移動方向を決定させ、登録用の指データに当該指データ登録時における上記指データセンサに対する指の相対的な移動方向を紐づけて出力することを特徴とする指データ認証装置。
【発明の詳細な説明】
【技術分野】
【０００１】
本発明は、右利き及び左利きの双方に適切応じられる携帯機器に関する。また、本発明は、そのような携帯機器に適用可能な指データ認証装置に関する。
【背景技術】
【０００２】
最近、携帯電話、手のひらサイズ情報認証装置、電子手帳など、ユーザの操作を伴う携帯機器が多く存在する。例えば、携帯電話は、電話本体を利き手で把持した状態で利き手で操作することが可能であるが、多くの携帯機器では、利き手でない方の手で機器本体を把持し、利き手で操作するようになされている。世の中には右利きの人が多いため、左利きの人には不便な装置である。
【０００３】
そのため、ユーザが右利きか左利きかを判別し、その判別結果に応じた利き手用の装置に可変できる携帯機器も提案されている。特許文献１に記載の携帯端末装置は、利き手でない方の手で把持部を握った際に親指が位置する近傍に右利き判定スイッチ及び左利き判定スイッチを設け、右利き判定スイッチ及び左利き判定スイッチのいずれが操作されたかで利き手を判別し、利き手に応じて、タッチパネルに表示する画像の天地左右（この明細書では、天地の地がユーザ寄りの手前側で、天地の天が奥側を表している）を制御するものである。
【特許文献１】特開２０００−３２２３８６号公報
【発明の開示】
【発明が解決しようとする課題】
【０００４】
しかしながら、右利き判定スイッチ及び左利き判定スイッチを設ける位置が把持部を握った際に親指が位置する近傍に限定され、設計の自由度を狭めるものとなっている。
【０００５】
また、利き手判定のために、２つのスイッチを設けなければならず、しかも、これらスイッチは他の機能に利用し難いものとなっている。
【０００６】
本発明は、以上の点を考慮してなされたものであり、利き手判定構成に割かれる占有面積が小さく、しかも、その利き手判定構成を他の機能にも適用可能な携帯機器を提供しようとしたものであり、また、そのような携帯機器に適用して好適な指データ認証装置を提供しようとしたものである。
【課題を解決するための手段】
【０００７】
第１の本発明は、指紋データ若しくは指静脈パターンデータが該当する指データを得て認証する指データ認証装置であって、（１）指の相対的な移動方向を横切る方向に伸びていて、各時刻におけるラインデータを逐次得る少なくとも２つのラインセンサを備えた指データセンサと、（２）上記指データセンサの出力に基づいて、認証用又は登録用の上記指データを作成する指データ作成部と、（３）予め登録されている登録用の指データと、上記指データ作成部が作成した認証用の指データとが合致するか否かを判別する指データ認証部と、（４）少なくとも２つの上記ラインセンサにおけるラインデータを比較し、指の相対的な移動方向を決定する指移動方向決定部とを備えることを特徴とする。
【０００８】
第２の本発明は、第１の本発明の指データ認証装置を備え、上記指データ認証装置における上記指データセンサが天地方向と直交する方向の中央部以外に配置されている携帯機器であって、上記指データ認証装置の指移動方向決定部が決定した指の相対的な移動方向に基づき、当該携帯機器のユーザから見た場合の天地方向を決定する天地方向決定部を有することを特徴とする。
【０００９】
第３の本発明の携帯機器は、（１）かざされた指の指紋データ若しくは指静脈パターンデータを得る、天地方向と直交する方向の中央部以外に配置されている指データセンサと、（２）上記指データセンサの出力に基づいて、認証用又は登録用の上記指データを作成する指データ作成部と、（３）予め登録されている登録用の指データと、上記指データ作成部が作成した認証用の指データとが合致するか否かを判別する指データ認証部と、（４）上記指データセンサが得た指データに基づいて、指元から指先への方向を決定する指先方向決定部と、（５）上記指先方向決定部が決定した指先方向に基づき、当該携帯機器のユーザから見た場合の天地方向を決定する天地方向決定部とを有することを特徴とする。
【００１０】
第４の本発明は、複数のユーザが使用する携帯機器であって、（１）上記各ユーザの指紋データ若しくは指静脈パターンデータが該当する指データを登録している指データ記憶部と、（２）上記各ユーザが当該携帯機器を使用する際の天地方向を記憶している天地方向記憶部と、（３）認証のために使用ユーザの指データを得る指データ読取部と、（４）上記指データ記憶部に記憶されている登録用の指データと、上記指データ読取部が得た指データとを照合し、合致するユーザを特定し、上記天地方向記憶部から、合致ユーザの天地方向を取り出して、現在の使用ユーザから見た当該携帯機器の天地方向を決定する現天地方向決定部とを備えることを特徴とする。
【発明の効果】
【００１１】
第１〜第３の本発明の指データ認証装置及び携帯機器によれば、認証用の指データセンサからの出力に基づいて、指の移動方向若しくは指が向けられている指先方向を得て、携帯機器の天地方向を決定することができ、その結果、特別な構成によらずに、ユーザの利き手に応じた表示などを実行させることができる。
【００１２】
また、第４の本発明の携帯機器によれば、複数のユーザが使用可能であっても、特別な構成によらずに、現時点の使用ユーザに適した携帯機器の天地方向を決定でき、その結果、ユーザの利き手に応じた表示などを実行させることができる。
【発明を実施するための最良の形態】
【００１３】
（Ａ）第１の実施形態
以下、本発明による指データ認証装置及び携帯機器の第１の実施形態を、図面を参照しながら説明する。
【００１４】
第１の実施形態の指データ認証装置は、利き手判定機能が付いた指紋認証装置であり、第１の実施形態に係る携帯機器に適用されている。
【００１５】
（Ａ−１）第１の実施形態の構成
図１は、第１の実施形態に係る携帯機器の電気的な機能構成を示すブロック図であり、図２は、第１の実施形態に係る携帯機器の概略表面を示す平面図である。図２（Ａ）は、右利きのユーザが操作する際の天地方向で携帯機器を示しており、図２（Ｂ）は、左利きのユーザが操作する際の天地方向で携帯機器を示している。
【００１６】
図２において、第１の実施形態に係る携帯機器１０の表面には、表示部１１の表示面１１ａ、十字キー１２及び指紋センサ１３が設けられている。また、図２（Ａ）に示す天地状態における右側面には電源スイッチ１４が設けられ、左側面にはＵＳＢコネクタ１５ａが設けられている。
【００１７】
多くの右利きのユーザは、十字キー１２及び指紋センサ１３を、図２（Ａ）に示すような右側に配置した状態で操作するのを好むと考えられ、多くの左利きのユーザは、十字キー１２及び指紋センサ１３を図２（Ｂ）に示すような左側に配置した状態（図２（Ａ）の状態を１８０度だけ回転させた状態で）で操作するのを好むと考えられる。第１の実施形態の携帯機器１０は、ユーザが右利きか左利きかに応じて、装置の天地を逆転できるものとなっている。以下では、右利きユーザ用の天地方向を右天地方向と呼び、左利きユーザ用の天地方向を左天地方向と呼ぶ。
【００１８】
この第１の実施形態の場合、十字キー１２及び指紋センサ１３は、携帯機器１０の左右方向の中心より左右方向にずれた位置に配置されていることが好ましい。
【００１９】
第１の実施形態の携帯機器１０は、電気的には、図１に示すように、上述した表示部１１、十字キー１２、指紋センサ１３、電源スイッチ１４及びＵＳＢコネクタ１５ａに加え、ＵＳＢドライバ部１５、制御部１６、指紋データ記憶部１７及びガイダンス画像記憶部１８などを備える。図１では省略しているが、その他に、電池などの電源部が設けられており、また、当該携帯機器１０が担っている機能を実現するための構成なども必要に応じて設けられている。
【００２０】
表示部１１は、例えば、液晶ディスプレイでなり、後述する制御部１６の制御下で、ガイダンス画像などを表示するものである。第１の実施形態の場合、後述する利き手判定で右利きと判定されたユーザに対しては、表示部１１には右天地方向の画像が表示され、利き手判定で左利きと判定されたユーザに対しては、表示部１１には左天地方向の画像が表示される。なお、利き手判定が実行される前では、表示部１１には、右利きユーザ及び左利きユーザに差がでない画像が表示される（後述する図４参照）。
【００２１】
十字キー１２は、表示部１１上の表示画像におけるカーソルの移動などを指示するものである。この第１の実施形態の場合、十字キー１２は、センターにエンターキーを備えないものである（センターにエンターキーを備えた十字キーを適用したものは本発明の他の実施形態となる）。表示部１１には右天地方向の画像が表示されている場合と、表示部１１には左天地方向の画像が表示されている場合とでは、制御部１６の制御下で、十字キー１２における各方向のキーの指示方向が変化するようになされている。例えば、右方向に向かっている矢印キー１２ａは、図２に示す右天地方向の状態においてはカーソルの右移動を指示し、逆に、左天地方向の状態においてはカーソルの左移動を指示するものである。
【００２２】
指紋センサ１３は、例えば、１チップ化されたスウィープ型の指紋センサが該当するものであり（例えば、富士通株式会社の指紋センサ「ＭＢＦ３００」、「ＭＢＦ３１０」参照）、指紋の読取画像データ（以下、指紋データと呼ぶ）を出力するものである。指紋センサ１３は、第１には（基本的には）、制御部１６との協働により、ユーザの指紋データに基づいた指紋認証を実行させるものである。指紋センサ１３は、第２には、ユーザの指紋データを得る際の指の相対的な移動方向を制御部１６に与え、制御部１６によって、ユーザの利き手を判定させるものである。指紋センサ１３は、第３には、制御部１６と協働して、利き手判定後には、かざされた指の停止期間に基づいたエンター（実行）の指示を行うものである。第３の機能は、エンターキーの代替要素としての機能である。
【００２３】
指紋センサ１３は、上述した第１の指紋認証機能、第２の指の移動方向の把握機能、第３の指停止時間の把握機能に対応できるものであれば、どのような形式のものであっても良い。
【００２４】
上記では、指紋データなどを得る構成（指紋センサ１３）と、指紋データなどを処理する構成（制御部１６）とが別個のものを示したが、これら構成を合体させて１構成要素（例えばチップやボード）として実現するようにしても良い。
【００２５】
また、指紋センサ１３として、ラインセンサの出力をそのまま出力する形式のものを適用しても良く、この場合には、制御部１６の処理によって、ラインセンサ出力から、指紋データやスキャン方向の情報を得ることになる。
【００２６】
例えば、ラインセンサを２ライン分以上利用し、指紋データを得ると共に、指の移動方向を把握する方法としては、特開２００２−２１６１１６号公報や特開２００３−２４８８２０号公報に記載のものを適用することができる。
【００２７】
所定距離（例えば１ｍｍ）だけ離間した２ラインセンサで同じデータがどちらのラインセンサで先に現れたかに基づいて移動方向を把握する。すなわち、各ラインセンサからの各時刻毎の特徴データに対し、時刻の紐付けを行ってバッファメモリに記憶させ、一方のラインセンサのある時刻の特徴データと、同じ特徴データが他方のラインセンサで得られた時刻を認識し、同じデータがどちらのラインセンサで先に現れたかを捉えるようにする。また、同じデータが２ラインセンサに現れる時間差に基づいて、各時点での指の移動速度を捕らえて、読取ったラインデータから移動速度の変動の影響を排除した指紋データを構築する。指紋データは、一方のラインセンサの出力から構築しても良く、２つのラインセンサの出力から構築しても良い。後者の場合、それぞれで構築した指紋データを平均化させたものを最終的な指紋データとするようにしても良い。
【００２８】
また、指をかざしているときに生じている有効なデータ（背景でのデータ以外）が先に生じなくなったラインセンサを天地における天側のラインセンサと捉えて、指の移動方向を判定するようにしても良い。
【００２９】
さらに、少なくとも一方のラインセンサからのデータが変化しない時間に基づいて、指が停止されている期間を把握することができる。
【００３０】
電源スイッチ１４は、当該携帯機器１０の主電源をオンオフするものである。主電源の他に、メモリの記憶データの消失などを防ぐための電源を供給する補助電源が設けられているものであっても良い。
【００３１】
ＵＳＢコネクタ１５ａは、他の機器のＵＳＢコネクタが直接接続されたり、ＵＳＢケーブルが接続されたりするものである。ＵＳＢドライバ部１５は、ＵＳＢコネクタ１５ａに直接又はケーブルを介して接続されている他の機器とのＵＳＢ規格に従ったデータ転送を実行させるものである。他の機器としては、例えば、パソコンなどの当該携帯機器１０より高機能又は多機能のものを挙げることができる。第１の実施形態の場合、後述するように、当該携帯機器１０への指紋データの登録を、他の機器から指紋データを転送させることによって実行することもできる。
【００３２】
制御部１６は、例えば、ＣＰＵ、ＲＯＭ、ＲＡＭなどのハードウェアや、ＣＰＵが実行するプログラムが該当し、当該携帯機器１０の全体を制御するものである。制御部１６は、後述する図３、図５、図６のフローチャートに示すような動作を実現するように各部を制御する。なお、図３、図５、図６は、制御部１６が有するプログラム１６ａ、１６ｂ、１６ｃの概略を記述していると見ることができる。制御部１６による制御については、後述する動作説明で明らかにする。
【００３３】
指紋データ記憶部１７は、例えば、ＥＥＰＲＯＭなどの書き換え可能な不揮発性メモリや、ＳＲＡＭなどが該当し、制御部１６による制御下で、当該携帯機器１０を操作し得るユーザの指紋データを記憶しているものであり、さらに、表示方向や十字キー１２の認識方法などを記憶しているものである。後述する第３の実施形態とは異なり、この第１の実施形態は、指紋データは１人のユーザについてのものだけを登録できるものである。
【００３４】
ガイダンス画像記憶部１８は、ユーザに操作方法を教えたり、ユーザが要求した内容を教えたりするためのガイダンス画像を記憶しているものである。制御部１６は、処理段階などに従って、所望するガイダンス画像をガイダンス画像記憶部１８から読み出して表示部１１に表示させるものである。
【００３５】
この第１の実施形態では、右天地方向に沿うようにガイダンス画像が表示されることもあれば、左天地方向に沿うようにガイダンス画像が表示されることもあり得る。右天地方向に沿うガイダンス画像と、左天地方向に沿うガイダンス画像とを別個にガイダンス画像記憶部１８に記憶させて双方向に対応できるようにしても良く、利き手人数が多い右天地方向に沿うガイダンス画像をガイダンス画像記憶部１８に記憶させ、右天地方向に沿うガイダンス画像の表示時にはガイダンス画像記憶部１８から読み出したものをそのまま表示部１１に与え、左天地方向に沿うガイダンス画像の表示時にはガイダンス画像記憶部１８から読み出したものを１８０度だけ回転させた後に表示部１１に与えるようにしても良い。
【００３６】
（Ａ−２）第１の実施形態の動作
次に、第１の実施形態に係る携帯機器１０の動作を説明する。以下では、当該携帯機器１０の指紋読取による指紋データの登録動作、外部機器からの指紋データ転送による登録動作、指紋データを用いるユーザ認証動作（指紋認証動作）の順に、動作を説明する。
【００３７】
（Ａ−２−１）携帯機器１０の指紋読取による指紋データの登録動作
制御部１６は、電源スイッチ１４がオン操作されると、図３に示す処理（プログラム１６ａ）を開始する。
【００３８】
そしてまず、ユーザの指紋データが登録されているか否かを確認する（ステップＳ１００）。この確認は、例えば、制御部１６内で保持する指紋データ有無フラグの値を認識して捉えるものであっても良く、または、フラグを利用することなく、指紋データ記憶部１７をアクセスして指紋データが記憶されているか否かを判別して行うものであっても良い。
【００３９】
指紋データが登録されている場合には、後述する図６に示す処理（プログラム１６ｃ）に移行する。
【００４０】
これに対して、指紋データが登録されていない場合には、制御部１６は、指紋センサ１３を起動し（ステップＳ１０１）、表示部１１に指紋をスキャンニングさせることを求める表示を行い（ステップＳ１０２）、ユーザが指紋センサ１３に指紋をスキャンすることで指紋センサ１３が得た指紋データ及びスキャン方向を指紋センサ１３から得る（ステップＳ１０３）。
【００４１】
図４は、ユーザに対して、指のスキャンニングを求める表示画像例を示す説明図である。この表示時には、ユーザが右利きか左利きかを判定できていないので、利き手を問わないガイダンス画像を表示する。図４（Ａ）に示すガイダンス画像の例は、右天地方向に携帯機器１０が把持されている場合に読み易い文字列ＣＨＡＲと、左天地方向に携帯機器１０が把持されている場合に読み易い文字列ＣＨＡＬとを共に含むものである。図４（Ｂ）に示すガイダンス画像の例は、右天地方向及び左天地方向の双方に直交する方向に記載されている文字列ＣＨＡＣを含むものである。
【００４２】
制御部１６は、指紋センサ１３から指紋データ及びスキャン方向の情報が与えられると、画像の表示方向及び十字キー１２の指示をどのように認識するかを決定し（ステップＳ１０４）、指紋センサ１３から与えられた指紋データと決定内容とを指紋データ記憶部１７に記憶（登録）させる（ステップＳ１０５）。指紋データ有無フラグを利用する場合であれば、制御部１６は、この際に、内蔵するフラグの値を指紋データがある場合の値に更新する。
【００４３】
例えば、図２（Ａ）に示した右天地方向における天から地へ指紋センサ１３がスキャンニングされた場合には（右利きの人がスキャンした場合と考えられる）、右天地方向で見やすい方向に表示方向を決定すると共に、十字キー１２における各方向への矢印キー１２ａ〜１２ｄは右天地方向で指示している方向への移動を指示しているものと設定する。また例えば、図２（Ｂ）に示した左天地方向における天から地へ指紋センサ１３がスキャンニングされた場合には（左利きの人がスキャンした場合と考えられる）、左天地方向で見やすい方向に表示方向を決定すると共に、十字キー１２における各方向への矢印キー１２ａ〜１２ｄは左天地方向で指示している方向への移動を指示しているものと設定する。
【００４４】
その後、制御部１６は、当該携帯機器１０が実行する基本機能に係る画像（例えば、メニュー画像）を表示方向に従って表示させ、通常動作に移行させる。例えば、当該電子機器１０が、電卓機能や、メモ機能や、カレンダー機能や、時計機能などに対応できるものであれば、「電卓」、「メモ」、「カレンダー」、「時計」などの選択肢を含むメニュー画像を表示させる。
【００４５】
（Ａ−２−２）外部機器からの指紋データ転送による登録動作
制御部１６は、ＵＳＢコネクタ１５ｂに対して、外部機器とつながっているＵＳＢコネクタが接続されたことを、ＵＳＢドライバ部１５から通知されると、図５に示す処理（プログラム１６ｂ）を開始する。なお、電源スイッチ１４がオンされたときに、ＵＳＢコネクタ１５ｂに対して外部機器とつながっているＵＳＢコネクタが接続されている場合にも、図５に示す処理を開始する。
【００４６】
そして、制御部１６は、外部機器が送出したデータを取り込み（ステップＳ１５１）、その受信データの指示内容を判別し（ステップＳ１５２）、判別結果に応じた指紋データの編集動作を実行する（ステップＳ１５３）。
【００４７】
第１の実施形態では、当該携帯機器１０の指紋データに対する編集動作を、パソコンなどからのＵＳＢインタフェースを介したデータ転送により指示できるようになされている。制御部１６は、指紋データを削除する指示内容が与えられたときには、指紋データ記憶部１７の記憶データをクリアする。また、制御部１６は、指紋データを変更する指示内容（新たな指紋データや表示方向などを含む）が与えられたときには、指紋データ記憶部１７の記憶データを、新たに受信したデータに置き換える。
【００４８】
制御部１６は、指紋データの編集動作が終了すると、例えば、ＵＳＢコネクタ１５ｂに対する接続がなされる前の状態に復帰する。但し、指紋データなどが変更され、表示方向が切り替わったような場合には、復帰画像は切り替わった表示画像に応じたものにする。
【００４９】
（Ａ−２−３）指紋データを用いたユーザ認証動作
電源スイッチ１４がオン操作されて、ユーザの指紋データが登録されているか否かを確認した際に（図３のステップＳ１００参照）、指紋データが登録されているという結果が得られたときには、図６に示す処理（プログラム１６ｃ）に移行する。
【００５０】
この移行により、制御部１６は、指紋センサ１３を起動し（ステップＳ２００）、指紋データ記憶部１７に記憶されている表示方向に従った、指紋のスキャンニング（指の移動）を求めるガイダンス画像を表示させ（ステップＳ２０１）、ユーザが指紋センサ１３に指紋をスキャンすることで指紋センサ１３が得た指紋データを得る（ステップＳ２０２）。図７は、表示方向に従った指紋のスキャンニングを求めるガイダンス画像の一例を示す説明図である。上述した図４に示すスキャンニングを求める画像は、スキャン方向の判別前であるので、右天地方向及び左天地方向の双方に対応できるものであったが、この表示画像は表示方向が定まっているのでその方向だけに対応するものとなっている。
【００５１】
制御部１６は、今回得られた指紋データと、指紋データ記憶部１７に記憶されている指紋データとを照合する、ユーザ認証を行う（ステップＳ２０３）。
【００５２】
両指紋データが合致せず、認証できない場合には、制御部１６は、認証できない場合の処理を実行する（ステップＳ２０４）。例えば、認証できない旨と再スキャンニングを要求する画像を表示させ、２回目でも認証できない場合には、２回目でも認証できない旨を所定時間だけ表示させた後、電源を強制的に遮断する。
【００５３】
両指紋データが合致して認証できた場合には、制御部１６は、当該携帯機器１０が実行する基本機能に係る画像（例えば、メニュー画像）を表示方向に従って表示させ、通常動作に移行させる。
【００５４】
認証後の動作は、ユーザの操作に応じた処理を実行する。この場合において、ユーザは十字キー１２でカーソルが指示する選択肢を切り替え、また、指紋センサ１３に触れた指を所定時間以上、動かさないことでエンターを指示する。制御部１６は、十字キー１２の指示方向を、指紋データ記憶部１７に記憶されている内容に応じて認識する。また、処理時に、文字列入力が必要になったときには、表示部１１に文字一覧などを表示させ、文字の選択やかな漢字変換の指示などを実行させて文字列を入力させる。
【００５５】
（Ａ−３）第１の実施形態の効果
第１の実施形態によれば、指紋認証に適用する指紋センサに対するスキャンニング方向を捉え（ユーザの利き手を判定し）、画像の表示方向や十字キーの指示方向を切り替えるようにしたので、利き手判定の専用構成を不要とすることができ、しかも、利き手に応じた天地方向に携帯機器を向けた状態でユーザは操作などを実行することができる。
【００５６】
また、第１の実施形態では、指紋センサをエンターキーの代わりにも適用しているので、機器の小型化を図ることができる。
【００５７】
（Ａ−４）第１の実施形態の変形実施形態
上述した第１の実施形態の変形実施形態としては、以下に例示するようなものを挙げることができる。
【００５８】
上記説明では、指紋データの登録時におけるスキャンニング回数が１回であるものを示したが、所定回数（例えば、２回）のスキャンニングを実行させ、各回の指紋データが合致することを持ってデータの登録を行うようにしても良い。
【００５９】
また、上記説明では、登録する指紋データが１データであるものを示したが、複数の指紋データ（例えば、異なる指の指紋データ）の登録を認めるようにしても良い。この場合において、登録している複数の指紋データのいずれかに、認証のために得た指紋データが合致していれば認証ＯＫとするようにしても良く、指紋認証時に複数の指紋データと合致する指紋データの全てを読取ったことを認証ＯＫの条件とするようにしても良い。
【００６０】
さらに、上記説明では、エンターキーの機能を指紋センサが担うものを示したが、これに代え、電源スイッチ１４がエンターキーの機能を担うようにしても良い。例えば、操作時間が第１の閾値時間より長いことを電源のオン又はオフへの切り替えと捉え、操作時間が第２の閾値時間より長く第１の閾値時間以下であればエンターキーの操作と捉え、操作時間が第２の閾値以下であれば操作を無視するようにすれば良い。
【００６１】
さらにまた、上記説明では、カーソルの移動を十字キー１２が指示するものを示したが、これに代え、認証ＯＫ後においては、指紋センサ１３にカーソルの移動指示キーとしての機能を担当させるようにしても良い。例えば、携帯機器１０の現在の天地方向において、指紋センサ１３に対して指で右移動になぞられた場合は右移動が指示され、指紋センサ１３に対して指で左移動になぞられた場合は右移動が指示され、指紋センサ１３に対して指で上移動になぞられた場合は上移動が指示され、指紋センサ１３に対して指で下移動になぞられた場合は下移動が指示されたと捉えるようにしても良い。上移動や下移動の認識は、上述したスキャン方向の把握動作と同様な方法による。左右の移動は、指が触れられていないラインセンサの画素数の変化で認識することができる。また、特開２００４−２７２４５８号公報に記載の指の回転や移動量を検出する方法を移動方向の認識に利用することができる。
【００６２】
上記説明では、表示部１１が単に表示するものであったが、表示部１１及び十字キー１２に代えてタッチパネルを適用するようにしても良い。また、タッチパネルを適用しない場合であっても、十字キー１２に代えて、又は、十字キー１２に加えてテンキーなどを設けるようにしても良い。
【００６３】
また、上記説明では、指紋認証時に指紋データだけを利用するものを示したが、スキャン方向も認証に利用するようにしても良い。例えば、まずスキャン方向が合致するか判定し、スキャン方向が合致しなければ認証ＮＧとし、スキャン方向が合致したときに、指紋データが合致するか否かを判定するようにしても良い。
【００６４】
さらに、上記説明では、スウィープ型の指紋センサを適用したものを示したが、指を移動させずに指紋データを得る非スウィープ型の指紋センサを適用するようにしても良い。この場合、指紋データから指の向きを捉えて（すなわち、利き手判定して）、表示方向の制御を行うようにすれば良い。指紋データから指の向きを捉える方法としては、例えば、特開平８−２７９０３９号公報に記載の方法を適用することができる。
【００６５】
さらにまた、上記説明では、指紋データの登録時に表示方向などを決定して設定するものを示したが、登録時には指紋データだけを記憶させ、認証のためのスキャン時に表示方向などを決定して設定するようにしても良い。
【００６６】
（Ｂ）第２の実施形態
次に、本発明による指データ認証装置及び携帯機器の第２の実施形態を、図面を参照しながら説明する。第２の実施形態の携帯機器は、複数のパスワードを管理、記憶するパスワード管理装置である。第２の実施形態の指データ認証装置は、第２の実施形態に係るパスワード管理装置に適用されている。
【００６７】
今日では、１ユーザは多くのパスワードを所有している。例えば、各種金融機関に届けたパスワードや、インターネットその他のネットワークの各種サービスを受けるためのパスワードや、入退室時のパスワード、パソコンなどを立ち上げる際のパスワードなどを所有する。全てのパスワードに同一のパスワードを適用した場合には、セキュリティ面で不安があるため、異なるパスワードを適用することもある。また、用途などによって、パスワードとして許容されている文字数や文字種が異なることも多い。第２の実施形態に係るパスワード管理装置は、ユーザの備忘に備えて複数のパスワードを管理、記憶するものである。
【００６８】
この明細書における用語「パスワード」は、パスワードや暗証番号として指示したものだけでなく、装置やシステムが割り振ったＩＤなどを含むものである。パスワード管理装置から見れば、記憶された文字列がパスワード、暗証番号、ＩＤなどのいずれに該当するかを区別できないものである。
【００６９】
（Ｂ−１）第２の実施形態の構成
図８は、第２の実施形態に係るパスワード管理装置の電気的な機能構成を示すブロック図であり、第１の実施形態に係る図１との同一、対応部分には同一、対応符号を付して示している。
【００７０】
図８において、第２の実施形態に係るパスワード管理装置１０Ａは、表示部１１、十字キー１２、指紋センサ１３、電源スイッチ１４、ＵＳＢドライバ部１５、ＵＳＢコネクタ１５ａ、制御部１６、指紋データ記憶部１７及びガイダンス画像記憶部１８に加え、パスワード記憶部１９を有する。
【００７１】
パスワード記憶部１９は、登録されたパスワードを記憶しているものである。この第２の実施形態の場合、複数のパスワードをグループ化若しくは階層化して記憶している。例えば、グループとして、「金融機関」、「ネットショッピング」、「プロバイダ」、「入退室」、「パソコン」、「その他」などを設ける。また、全て又は一部のグループにサブグループを設ける。例えば、「金融機関」のサブグループとして「銀行」、「証券会社」などを設ける。すなわち、パスワード記憶部１９へのパスワード登録や登録パスワードの読出しは、階層をたどっていくことで行う。
【００７２】
（Ｂ−２）第２の実施形態の動作
この第２の実施形態における指紋データの登録動作は、第１の実施形態と同様であるので、その説明は省略する。
【００７３】
（Ｂ−２−１）パスワードの外部機器からの転送一括登録
第２の実施形態の場合、パスワードを外部機器（以下では、パソコンとする）から、パスワード管理装置１０Ａに登録させることができる。以下、この場合の処理の流れを、図９の手順フローを参照しながら説明する。
【００７４】
ユーザは、パソコンを用いて、既存の表計算ソフト（例えば、Ｍｉｃｒｏｓｏｆｔ  Ｅｘｃｅｌ（登録商標））を用いて、図１０に示すような登録するパスワードを含む表形式のデータを作成する（ステップＳ２５０）。１レコードは、サブグループ名（サブグループが存在しない場合にはグループ名）、登録対象を区別する任意の文字列（以下、登録対象名と呼ぶ）、１又は２個のパスワードでなる。図１０に示すように、１つの登録対象に関し、最大２個のパスワードを含めることができる。２個のパスワードとして、例えば、パスワードそのものと、ＩＤとを含めることができる。
【００７５】
次に、ユーザは、作成した表形式データを転送可能なファイル（例えばＣＳＶ形式のファイル）として、パソコン上に保存させる（ステップＳ２５１）。ここで、ファイル名には、パスワード管理装置１０Ａがパスワードの登録を開始する予め定められた拡張子若しくは文字列を盛り込んでおく。
【００７６】
その後、ユーザは、保存ファイルを、ＵＳＢインタフェースを介してパスワード管理装置１０Ａに転送する（ステップＳ２５２）。なお、パスワード管理装置１０ＡのＵＳＢコネクタ１５ａに対する接続行為がなされた際に、誤った登録や不正な登録を防止すべく指紋認証を実行させるようにしても良い。
【００７７】
パスワード管理装置１０Ａの制御部１６は、ＵＳＢドライバ部１５から、パスワード登録に係る転送ファイルが与えられたときには、各レコードのサブグループ名（若しくはグループ名）を認識し、パスワード記憶部１９におけるそのサブグループの最後尾に、受信した登録対象名及びパスワードを追加登録する（ステップＳ２５３）。
【００７８】
以上では、パソコンからのデータ転送によるパスワードの追加登録の場合を説明したが、パソコンからのデータ転送によって、パスワードを変更させたり削除させたりするようにしても良い。パスワードの変更の場合には、変更前後のパスワードに係る情報を含む変更指示ファイルを転送すれば良い。また、パスワードの削除の場合には、削除するパスワードに係る情報を含む削除指示ファイルを転送すれば良い。
【００７９】
（Ｂ−２−２）パスワードの個別登録
第２の実施形態の場合、パスワードを、パスワード管理装置１０Ａに追加登録させることができる。
【００８０】
制御部１６は、電源スイッチ１４がオン操作されると、ユーザの指紋データが登録されているか否かを確認し、登録されている場合には指紋認証させる（第１の実施形態参照）。ここで、認証ＯＫになると、「パスワード登録」、「パスワード閲覧」、「パスワード削除」などの選択肢を含む画像を、決定されている表示方向（右天地方向又は左天地方向）で表示させ、ユーザの選択を待ち受ける。
【００８１】
「パスワード登録」が選択されると、制御部１６は、図１１に示すサブルーチン処理を開始する。なお、図１１に示すサブルーチン処理は、例えば、プログラムとして制御部１６にインストールされている。
【００８２】
制御部１６は、図１１に示す処理を開始すると、登録に係るグループ名及びサブグループ名を指定させる（ステップＳ３００）。グループ名やサブグループ名を選択肢として含む画像を表示させ、十字キー１２の操作に応じてカーソルを移動させ、指紋センサ１３に対するエンター操作がなされたときにカーソルが位置していた選択肢に係るグループ名及びサブグループ名が指定されたものとして取り込む。
【００８３】
次に、制御部１６は、ユーザから登録対象名を取り込む（ステップＳ３０１）。例えば、表示部１１にスクロール可能に文字一覧などを表示させ、文字の選択やかな漢字変換の指示などを実行させて登録対象名を入力させる。
【００８４】
次に、制御部１６は、ユーザからパスワードを取り込む（ステップＳ３０２）。例えば、この場合も、表示部１１にスクロール可能に文字一覧などを表示させ、文字の選択やかな漢字変換の指示などを実行させてパスワードを入力させる。１番目のパスワードが入力された状態でエンター操作がなされたときには、２番目のパスワードを入力するか否かを問う画像を表示させ、２番目のパスワードを入力しない場合には１番目のパスワードだけを登録することに認識し、２番目のパスワードの入力の意思表示があって２番目のパスワードを取り込んだ場合には１番目及び２番目のパスワードを登録することと認識する。
【００８５】
制御部１６は、パスワード記憶部１９における指定されたサブグループ（若しくはグループ）の最後尾に、入力された登録対象名及びパスワードを追加登録する（ステップＳ３０３）。
【００８６】
以上では、パスワードの追加登録の場合を説明したが、ほぼ同様な編集動作によって登録パスワードを変更又は削除させるようにしても良い。変更動作及び削除動作については、その説明を省略する。
【００８７】
（Ｂ−２−３）登録パスワードの閲覧
次に、登録パスワードのうち、所望するパスワードをユーザが閲覧する際の動作を説明する。
【００８８】
上述したように、制御部１６は、電源スイッチ１４がオン操作されると、ユーザの指紋データが登録されているか否かを確認し、登録されている場合には指紋認証させる（第１の実施形態参照）。ここで、認証ＯＫになると、「パスワード登録」、「パスワード閲覧」、「パスワード削除」などの選択肢を含む画像を、決定されている表示方向（右天地方向又は左天地方向）で表示させ、ユーザの選択を待ち受ける。
【００８９】
「パスワード閲覧」が選択されると、制御部１６は、図１２に示すサブルーチン処理を開始する。なお、図１２に示すサブルーチン処理は、例えば、プログラムとして制御部１６にインストールされている。
【００９０】
制御部１６は、図１２に示す処理を開始すると、ある１つの登録対象名だけを表示部１１に表示させる（ステップＳ３５０）。
【００９１】
その後、十字キー１２のいずれかの方向への移動キー、若しくは、エンターキー（指紋センサ１３）が操作されたかを判別する（ステップＳ３５１）。十字キー１２におけるいずれかの方向への移動キーが操作された場合には、その移動先に応じた、登録対象名、１番目の登録パスワード又は２番目の登録パスワードに表示を切り替える（ステップＳ３５２）。エンターキー（指紋センサ１３）が操作された場合には、閲覧動作を終了させる（ステップＳ３５３）。閲覧動作を終了させた際には、例えば、「パスワード登録」、「パスワード閲覧」、「パスワード削除」などの選択肢を含む画像を表示させる。
【００９２】
図１３は、十字キー１２の操作と表示内容の変化との関係例（ステップＳ３５２参照）を示す説明図である。
【００９３】
登録対象名が表示されている状態における上下の移動キーの操作は、前の登録対象名又は次の登録対象名への切替えを指示する。登録対象名が表示されている状態における右移動キーの操作は、１番目の登録パスワードへの切替えを指示する。登録対象名が表示されている状態における左移動キーの操作は無視される。
【００９４】
なお、下移動キーの操作による登録対象名の順方向の変化順序は以下の通りである。第１グループの第１サブグループの第１番目の登録対象名を初期表示させる（該当するものがなければ最も若番の該当するものを表示）。その後、第１サブグループの第２番目、第３番目、…の登録対象名に切り替える。第１サブグループの最終番目の登録対象名からは、第１グループの第２サブグループの第１番目の登録対象名に切り替える。以下、同様に、サブグループ間での切替えを行う。第１グループの最終サブグループの最終番目の登録対象名からは、第２グループの第１サブグループの第１番目の登録対象名に切り替える。以下、同様な切替えを実行する。上移動キーの操作による登録対象名の逆方向の変化順序は、上述した順方向の切替えの逆順である。
【００９５】
１番目の登録パスワードが表示されている状態における上下の移動キーの操作は無視される。１番目の登録パスワードが表示されている状態における右移動キーの操作は、２番目の登録パスワードがあれば２番目の登録パスワードへの切替えを指示し、２番目の登録パスワードがなければ次の登録対象名への切替えを指示する。１番目の登録パスワードが表示されている状態における左移動キーの操作は、当該パスワードの登録対象名への切替えを指示する。
【００９６】
２番目の登録パスワードが表示されている状態における上下の移動キーの操作は無視される。２番目の登録パスワードが表示されている状態における右移動キーの操作は、次の登録対象名への切替えを指示する。２番目の登録パスワードが表示されている状態における左移動キーの操作は、１番目の登録パスワードへの切替えを指示する。
【００９７】
（Ｂ−３）第２の実施形態の効果
第２の実施形態によっても、指紋認証に適用する指紋センサに対するスキャンニング方向を捉え（ユーザの利き手を判定し）、画像の表示方向や十字キーの指示方向を切り替えるようにしたので、利き手判定の専用構成を不要とすることができ、しかも、利き手に応じた天地方向にパスワード管理装置を向けた状態でユーザは操作などを実行することができ、また、指紋センサをエンターキーの代わりにも適用しているので、パスワード管理装置の小型化を図ることができる。
【００９８】
第２の実施形態に係るパスワード管理装置が管理しているパスワードは秘匿性が高く、セキュリティが問題となるので、認証が重要である。一方、装置としては、多数のパスワードを記憶させるとしても必要な記憶容量が小さく、小形で安価であることが望ましく、しかも、盗み見を防止する観点から操作性が高いことが望ましいものである。上述したような指紋センサに複数の機能を持たせたことは、セキュリティが高いことを保証しつつ、装置の小形、低廉化を達成し、しかも十分な操作性を確保している。
【００９９】
（Ｂ−４）第２の実施形態の変形実施形態
上述した第１の実施形態の変形実施形態の中で、第２の実施形態の変形実施形態となり得るものは、適宜変形実施形態として適用すれば良い。
【０１００】
上記説明では、１つの登録対象名に対するパスワードを２つまで登録できるものを示したが、１つ又は３つ以上登録し得るようにしても良い。
【０１０１】
また、上記説明では、パスワードを、外部機器からの転送によっても、当該パスワード管理装置への入力によっても登録できるものを示したが、一方の方法だけで登録できるようにしても良い。
【０１０２】
さらに、上記説明では、どの登録対象名のパスワードでも、指紋認証のＯＫを条件として閲覧できるものを示したが、指紋認証を条件とすることなく、閲覧可能な登録対象を認めるようにしても良い。例えば、指紋認証を条件としているか否かを示すフラグを登録動作で設定し、そのフラグの値に応じて、指紋認証が閲覧の条件となっているか否かを判別するようにしても良い。
【０１０３】
（Ｃ）第３の実施形態
次に、本発明による指データ認証装置及び携帯機器の第３の実施形態を、図面を参照しながら説明する。第３の実施形態の携帯機器は、複数のユーザが共用する携帯機器である。例えば、日時によって利用する、営業部の人間が変化するような携帯機器が該当する。
【０１０４】
第３の実施形態に係る携帯機器も、その電気的な機能構成は、第１の実施形態に係る図１で表すことができる。
【０１０５】
しかしながら、以下の点が第１の実施形態と異なっている。第１の実施形態の場合、指紋データ記憶部１７には１ユーザの指紋データや表示方向などの情報しか登録できないものであったが、この第３の実施形態の場合、指紋データ記憶部１７には、複数のユーザの指紋データや表示方向などの情報を登録することができる。ここで、登録動作は第１の実施形態と同様である。但し、第１の実施形態では、追加登録を認めないものであったが、この第３の実施形態の場合、追加登録を認めるようにしておけば良い。なお、指紋データの登録時に、ユーザ氏名などを入力させるようにしても良く、また、ユーザ氏名などの入力を不要とするようにしても良い。
【０１０６】
第３の実施形態の携帯機器は、複数のユーザが共用する機器であるため、指紋認証時の動作も第１の実施形態とは異なっている。以下、図１４を参照しながら、第３の実施形態の携帯機器における指紋認証時の動作を説明する。ここで、図１４は、第１の実施形態に係る図６に対応する図面（フローチャート）である。
【０１０７】
電源スイッチ１４がオン操作されて、ユーザの指紋データが登録されているか否かを確認した際に（図３のステップＳ１００参照）、指紋データが登録されているという結果が得られたときには、図１４に示す処理に移行する。
【０１０８】
この移行により、制御部１６は、指紋センサ１３を起動し（ステップＳ４００）、指紋のスキャンニング（指の移動）を求めるガイダンス画像を表示させ（ステップＳ４０１）、ユーザが指紋センサ１３に指をスキャンすることで指紋センサ１３が得た指紋データを得る（ステップＳ４０２）。第１の実施形態とは異なり、どのユーザが使用しているのが不明であるので、ステップＳ４０１で表示される指紋のスキャンニングを求めるガイダンス画像は、上述した図４に示したような右天地方向及び左天地方向の双方に対応できるものとする。
【０１０９】
制御部１６は、指紋データ記憶部１７に記憶されている複数の指紋データの中に、今回得られた指紋データと合致するものが存在するかを判別する（ステップＳ４０３）。この判別は、ユーザ認証動作と利き手判別動作とを兼ねたものとなっている。
【０１１０】
指紋データ記憶部１７に記憶されているいずれの指紋データにも、今回得られた指紋データが合致しない場合には、制御部１６は、認証できない場合の処理を実行する（ステップＳ４０４）。
【０１１１】
制御部１６は、指紋データ記憶部１７に記憶されている複数の指紋データの中に、今回得られた指紋データと合致するものが存在すれば、指紋データ記憶部１７に記憶されている決定された表示方向の情報を取り出し（ステップＳ４０５）、当該携帯機器１０が実行する基本機能に係る画像（例えば、メニュー画像）を表示方向に従って表示させ、通常動作に移行させる。
【０１１２】
第３の実施形態によれば、第１の実施形態と同様な効果を奏することができ、さらに、利き手が異なるユーザが混在している場合でも、そのときの使用ユーザの利き手に応じた状態に当該携帯機器を設定できるという効果をも奏する。
【０１１３】
（Ｄ）他の実施形態
上記各実施形態の説明においても、種々変形実施形態を示したが、さらに以下に例示するような変形実施形態を挙げることができる。
【０１１４】
上記各実施形態において、ＣＰＵがプログラムを実行することによって実現していた機能を、これらの機能を実現するための電気回路などのハードウェアに置き換えて、本発明を実現することも当然に可能である。
【０１１５】
また、上記各実施形態において、指紋データの登録や指紋データの認証のスキャン方向が一方向のものを示したが、双方向のスキャンを指紋認証に適用するようにしても良い。例えば、登録時に、右天地方向における天から地へのスキャンでの指紋データと、左天地方向における天から地へのスキャンでの指紋データとを共に読み込んで登録させ、認証時にも、右天地方向における天から地へのスキャンでの指紋データと、左天地方向における天から地へのスキャンでの指紋データとを得て、２つの指紋データ共に、登録しているものと合致したときを、認証ＯＫと判定するようにしても良い。この場合において、例えば、登録時に、右天地方向における天から地へのスキャンと、左天地方向における天から地へのスキャンとのうち、先になされたスキャン方向に合わせて、画像の表示方向などを設定するようにすれば良い。
【０１１６】
さらに、上記各実施形態では、携帯機器がどの機能、サービスをユーザに提供する場合にも指紋認証を実行するものを示したが、指紋認証を条件としてユーザに提供する機能、サービスと、指紋認証を条件とすることなくユーザに提供する機能、サービスとが混在する携帯機器に対しても本発明を適用することができる。この場合、表示方向を決定させるための指紋センサに対するスキャンだけを当初に実行させて（指紋認証までの複雑な処理を実行しない）、表示方向などを設定し、ユーザが所望する機能、サービスとして、指紋認証を条件としている機能、サービスが選択された際に、指紋認証のためのスキャンを実行させるようにしても良い。
【０１１７】
さらにまた、上記各実施形態では、独立装置としての携帯機器に本発明を適用したものを示したが、他の装置と接続されて始めて機能が意味を持つ携帯機器（可搬性がある機器）に本発明を適用することができる。例えば、ゲーム機本体と接続されて用いられるゲームコントローラに本発明を適用することができる。このような有線部分を有する機器も、本発明の携帯機器の概念に含まれる。なお、ゲーム機本体と有線、無線接続されたゲームコントローラなど、表示部を備えない携帯機器にも本発明を適用し得る。
【０１１８】
また、上記各実施形態では、指紋センサを有するものを示したが、指に関する他の生態的な特徴のデータを得るセンサを適用するようにしても良い。例えば、指の静脈を読み取るセンサ（指静脈パターンセンサ）を適用するようにしても良く、静脈を浮き上がらすことができる波長光の照射光源と、この照射時の画像を読み取る２ライン以上のラインセンサとを備えた指データ認証装置において、上記各実施形態の指紋センサと同様のフローを採用すれば、指データの登録時に、指データを作成、登録すると共に、当該指データを作成する際における指の方向を検出してこの方向を指データに紐づけることができる。
【図面の簡単な説明】
【０１１９】
【図１】第１の実施形態に係る携帯機器の電気的な機能構成を示すブロック図である。
【図２】第１の実施形態に係る携帯機器の概略表面を示す平面図である。
【図３】第１の実施形態における携帯機器の指紋読取による指紋データの登録動作を示すフローチャートである。
【図４】第１の実施形態における、指紋データの登録のために指のスキャンニングを求める表示画像例を示す説明図である。
【図５】第１の実施形態における外部機器からの指紋データ転送による登録動作を示すフローチャートである。
【図６】第１の実施形態における指紋データを用いたユーザ認証動作を示すフローチャートである。
【図７】第１の実施形態における、指紋認証のために指のスキャンニングを求める表示画像例を示す説明図である。
【図８】第２の実施形態に係るパスワード管理機器の電気的な機能構成を示すブロック図である。
【図９】第２の実施形態における外部機器からパスワード管理装置へパスワードを転送登録する際の手順を示す手順フロー図である。
【図１０】第２の実施形態における外部機器で作成した、登録するパスワードを含む表形式データを示す説明図である。
【図１１】第２の実施形態におけるパスワード管理装置へのパスワードの追加登録動作を示すフローチャートである。
【図１２】第２の実施形態における登録パスワードの閲覧動作を示すフローチャートである。
【図１３】第２の実施形態の登録パスワードの閲覧時における十字キーの操作と表示内容の変化との関係例を示す説明図である。
【図１４】第３の実施形態における指紋データを用いたユーザ認証動作を示すフローチャートである。
【符号の説明】
【０１２０】
１０…携帯機器、１０Ａ…パスワード管理装置、１１…表示部、１２…十字キー、１３…指紋読取部、１４…電源スイッチ、１５…ＵＳＢドライバ部、１６…制御部、１７…指紋データ記憶部、１８…ガイダンス画像記憶部、１９…パスワード記憶部。
【図１】
2010020716.tif 000003
【図２】
2010020716.tif 000004
【図３】
2010020716.tif 000005
【図４】
2010020716.tif 000006
【図５】
2010020716.tif 000007
【図６】
2010020716.tif 000008
【図７】
2010020716.tif 000009
【図８】
2010020716.tif 000010
【図９】
2010020716.tif 000011
【図１０】
2010020716.tif 000012
【図１１】
2010020716.tif 000013
【図１２】
2010020716.tif 000014
【図１３】
2010020716.tif 000015
【図１４】
2010020716.tif 000016
【手続補正書】
【提出日】平成20年7月15日(2008.7.15)
【手続補正１】
【補正対象書類名】図面
【補正対象項目名】全図
【補正方法】変更
【補正の内容】
【図１】
2010020716.tif 000017
【図２】
2010020716.tif 000018
【図３】
2010020716.tif 000019
【図４】
2010020716.tif 000020
【図５】
2010020716.tif 000021
【図６】
2010020716.tif 000022
【図７】
2010020716.tif 000023
【図８】
2010020716.tif 000024
【図９】
2010020716.tif 000025
【図１０】
2010020716.tif 000026
【図１１】
2010020716.tif 000027
【図１２】
2010020716.tif 000028
【図１３】
2010020716.tif 000029
【図１４】
2010020716.tif 000030